(57)【要約】  本発明は、スペクトル幅を有する電磁放射、具体的にはレーザパルスのための分散調節ユニット（５）に関する。分散調節ユニットは、少なくとも１つの分散素子（７Ａ、７Ｂ）を有する電磁放射の２つの相互作用領域によって境界が定められる、角分散領域（８）内で角分散を生成するための少なくとも１つの分散素子（７Ａ、７Ｂ）を有するアセンブリを備える。角分散領域では、電磁放射の個々のスペクトル成分が、互いにある角度で延びる光路（８Ａ、８Ｂ、８Ｃ）に関連付けられる。さらに、分散調節ユット（５）は、角分散領域（８）内に配置され、電磁放射を透過する光学素子（１１）、具体的には電磁放射を透過する平行平面光学（ガラス）板（１１）を有する光学ユニット（４）を備える。光学素子は、光学ユニット（１１）の前後で、個々のスペクトル成分の伝播に対して、電磁放射の個々のスペクトル成分の入射角依存平行オフセットを実施する。
2019522361.tif 000002
【特許請求の範囲】
【請求項１】
スペクトル幅を有する電磁放射、特にレーザパルスのための分散調節ユニット（５）であって、
少なくとも１つの分散素子（７、７Ａ、７Ｂ）であって、前記電磁放射の２つの相互作用領域によって境界が定められる角分散領域（８）内に角分散を生成する少なくとも１つの分散素子（７、７Ａ、７Ｂ）と、
前記角分散領域（８）内に配置され、平行平面な光学板（１１）を透過する電磁放射を有する光学ユニット（４）であって、互いに対して平行に配置される平面入射面（１１Ａ）と平面出射面（１１Ｂ）とを有する光学ユニット（４）と、を備え、
前記角分散領域（８）内では、前記電磁放射の個々のスペクトル成分が、互いに対してある角度で進む複数の光路（８Ａ、８Ｂ、８Ｃ）に夫々関連付けられており、
前記光学板（１１）は、前記光学板（１１）の前後で、前記個々のスペクトル成分の伝播に対して、前記電磁放射の前記個々のスペクトル成分の入射角に依存した平行オフセットを発生させる、
分散調節ユニット（５）。
【請求項２】
スペクトル幅を有する電磁放射、特にレーザパルスのための分散調節ユニット（５）であって、
少なくとも１つの分散素子（７、７Ａ、７Ｂ）であって、前記電磁放射の２つの相互作用領域によって境界が定められる角分散領域（８）内に角分散を生成する少なくとも１つの分散素子（７、７Ａ、７Ｂ）と、
前記角分散領域（８）内に配置され、前記電磁放射を透過する光学素子（１１、７０、８１）を有する光学ユニット（４）と、を備え、
前記角分散領域（８）内では、前記電磁放射の個々のスペクトル成分が、互いに対してある角度で進む光路（８Ａ、８Ｂ、８Ｃ）に関連付けられており、
前記光学素子（１１、７０、８１）は、前記個々のスペクトル成分の伝播に対して、光学ユニット（１１、７０、８１）の前後で、前記電磁放射の前記個々のスペクトル成分の入射角に依存した平行オフセットを生み出す、
分散調節ユニット（５）。
【請求項３】
前記光学ユニット（１１、７０、８１）は、前記個々のスペクトル成分の前記平行オフセットを変更するように構成された調節デバイス（１７、８３）、をさらに備える、
請求項１または２に記載の分散調節ユニット（５）。
【請求項４】
前記光学ユニット（１１、７０、８１）は、互いに平行に配置される平面入射面（１１Ａ）および出射面（１１Ｂ）を有し、及び／又は、
前記調節デバイスは、前記平行オフセットを変更するために前記角分散領域（８）内の前記光学素子（１１）の空間向きを変更するように構成される、
請求項２または３に記載の分散調節ユニット（５）。
【請求項５】
前記光学素子（７０）は、複数のウェッジ、特に２重ウェッジ構造として構成され、
前記調節デバイスは、前記平行オフセットを変更するために複数のウェッジとして形成された前記光学素子（７０）の厚さ及び角度の少なくとも一方を変更するように構成される、
請求項２または３に記載の分散調節ユニット（５）。
【請求項６】
前記光学素子（８１）は電気光学変調器として構成され、
前記調節デバイスは、前記平行オフセットを変更するために電気光学変調器として形成された前記光学素子（８１）の屈折率を変更するように構成される、
請求項２または３に記載の分散調節ユニット（５）。
【請求項７】
前記光学素子は１対の音響光学変調器として形成され、
前記調節デバイスは、前記平行オフセットを変更するために１対の音響光学変調器として形成された前記光学素子の回折パラメータを変更するように構成される、
請求項２または３に記載の分散調節ユニット（５）。
【請求項８】
前記光学素子（１１、７０、８１）、特に前記光学板（１１）は、互いに実質的に平行に延び、互いからある距離に配置される入射面（１１Ａ）および出射面（１１Ｂ）を有し、及び／又は、
前記光学素子（１１、７０、８１）、特に前記光学板（１１）は、前記少なくとも１つの分散素子（７、７Ａ、７Ｂ）に対するビーム経路内における位置及び向きの少なくとも一方において、前記少なくとも１つの分散素子（７、７Ａ、７Ｂ）とは無関係に調節可能である、
請求項１から７のいずれか一項に記載の分散調節ユニット（５）。
【請求項９】
前記電磁放射の前記個々のスペクトル成分について前記入射面（１１Ａ）および前記出射面（１１Ｂ）が実質的に平行であることによって、個々のスペクトル成分の前記光路（８Ａ、８Ｂ、８Ｃ）の入射角および出射角は同一である、
請求項８に記載の分散調節ユニット（５）。
【請求項１０】
前記光学素子（１１、７０、８１）、特に前記光学板（１１）は、前記光学素子（１１、７０、８１）、特に前記光学板（１１）の角度位置を調節するためにビーム経路に対して回転可能に取り付けられ、その結果、前記光路（８Ａ、８Ｂ、８Ｃ）の入射角および出射角が、前記光学素子（１１、７０、８１）、特に前記光学板（１１）の入射面（１１Ａ）および出射面（１１Ｂ）に対して調節可能であり、
前記光学素子（１１、７０、８１）、特に前記光学板（１１）は、ファンアウト平面に対して実質的に直交する回転軸（１７Ａ）の周りに回転可能に取り付けられる、
請求項１から９のいずれか一項に記載の分散調節ユニット（５）。
【請求項１１】
前記光学素子（１１、７０、８１）、特に前記光学板（１１）は、互いに対して平行に、かつ互いに対してある角度で延びる光路（８Ａ、８Ｂ、８Ｃ）によって広げられるファンアウト平面に対して垂直に配置される平面入射面（１１Ａ）および平面出射面（１１Ｂ）を有し、及び／又は、
入射面（１１Ａ）及び出射面（１１Ｂ）の少なくとも一方は、反射防止被覆される、
請求項１から１０のいずれか一項に記載の分散調節ユニット（５）。
【請求項１２】
前記光学素子（１１、７０、８１）は、１つの平行平面板（１１、４３Ａ、４３Ｂ、４５Ａ、４５Ｂ）、及び、１対の反対方向に変位可能なウェッジ（３５Ａ、３５Ｂ）の少なくとも一方を備え、
前記光学素子（１１、７０、８１）、特に、前記１つの平行平面板（１１、４３Ａ、４３Ｂ、４５Ａ、４５Ｂ）、及び、ウェッジ（３５Ａ、３５Ｂ）の少なくとも一方の材料は、水晶、ＹＡＧ、サファイア、またはＳＦ１０であり、及び／又は、少なくとも０．１ｍｍの厚さ、例えば約０．５ｍｍから約１０ｍｍ以上までの範囲内の厚さを有する、
請求項１から１１のいずれか一項に記載の分散調節ユニット（５）。
【請求項１３】
前記光学素子（１１、７０）の回転、前記光学素子（８１）の厚さの変更、屈折率の変更、及び、回折パラメータの変更の少なくとも１つは、前記少なくとも１つの分散素子（７、７Ａ、７Ｂ）の一定の位置、特に前記相互作用領域間の実質的に一定の距離を有する前記分散調節ユニット（５）によって生み出される分散の変化を引き起こす、
請求項１から１２のいずれか一項に記載の分散調節ユニット（５）。
【請求項１４】
前記調節デバイス（１７、８３）は、前記分散調節ユニット（５）の前、及び、後の少なくとも一方で、光ビーム経路の自己位相変調分散寄与を特に割り当てるために、パルス持続時間に依存する測定信号、パルス出力パラメータ、ピークパルス出力パラメータ、及び、パルスエネルギーパラメータの少なくとも１つに依存して前記分散調節ユニット（５）の分散寄与を設定するように構成される、
請求項３から１３のいずれか一項に記載の分散調節ユニット（５）。
【請求項１５】
（ａ）少なくとも１つの集束素子、特に、前記少なくとも１つの分散素子（７、７Ａ、７Ｂ）の前記相互作用領域間に、光学望遠鏡構成（５１）、特にレンズ（５１Ａ、５１Ｂ）又はミラーを形成する２つの集束素子、及び、
（ｂ）一方向での平行変位を伴う前記光路（８Ａ、８Ｂ、８Ｃ）の後方反射のための反射素子（９、９’）であって、前記少なくとも１つの分散素子（７、７Ａ、７Ｂ）の前記相互作用領域の間に配置される反射素子（９、９’）、
の少なくとも一方を更に備え、
前記光学素子（１１、７０、８１）特に前記光学板（１１）は、前記集束素子のうちの１つと、これに隣接する、前記少なくとも１つの分散素子（７、７Ａ、７Ｂ）の相互作用領域との間のビーム経路区間内に配置され、
前記反射素子（９、９’）は、特に、ルーフエッジミラーまたは偏向プリズムと
である、
請求項１から１４のいずれか一項に記載の分散調節ユニット（５）。
【請求項１６】
前記光学ユニット（１１、７０、８１）は、前記少なくとも１つの分散素子（７、７Ａ、７Ｂ）の前記相互作用領域間のビーム経路中に回転可能に取り付けられ、特に前記光路の入射および入射角を調節するための複数の光学素子、特に光透過板（４３Ａ、４３Ｂ、４５Ａ、４５Ｂ）を備え、
前記光学素子は、前記ビーム経路中に同一方向または逆方向にねじれて配置される、
請求項１から１５のいずれか一項に記載の分散調節ユニット（５）。
【請求項１７】
（ａ）前記少なくとも１つの分散素子（７、７Ａ、７Ｂ）の前記相互作用領域および前記光学ユニットのビーム経路を逆に導く光学折返し素子（９）、特に、偏向プリズム、又は、偏向ミラーユニット、及び、
（ｂ）少なくとも１つの別の分散素子、具体的には前記ビーム経路中にそれに対応して配置された光学ユニットの第２の対の相互作用領域、
の少なくとも一方をさらに備え、及び／又は、
前記少なくとも１つの分散素子（７、７Ａ、７Ｂ）は、１つまたは複数の光格子、例えば１対の光格子、１つまたは複数のプリズム、例えば１対のプリズム、及び／又は、１つまたは複数のグリズム、例えば１対のグリズムを備える、
請求項１から１６のいずれか一項に記載の分散調節ユニット（５）。
【請求項１８】
スペクトル的に広いレーザパルスを生成するためのレーザパルス源（３）と、
パルス圧縮、パルス伸長、及び／又は、パルス最適化、を行う、請求項１から１７のいずれか一項に記載の分散調節ユニット（５）と
を備えるレーザシステム（１、１’）。
【請求項１９】
前記少なくとも１つの分散調節ユニット（５）の前記光学素子（１１、７０、８１）の、特に前記光学板（１１）の角度位置、屈折率、厚さ、及び／又は、回折パラメータを具体的には設定するように構成された少なくとも１つの分散調節ユニット（５）の調節デバイス（１７、８３）を設定するための制御ユニット（１３）、をさらに備え、
特にパラメータセットが前記制御ユニット（１３）内に記憶され、前記制御ユニット（１３）と共に、前記調節デバイスが、パルス持続時間やパルスエネルギーなどの、適用のために与えられるパラメータを設定するためにそれに対応して作動される、
請求項１８に記載のレーザシステム（１、１’）。
【請求項２０】
（ａ）前記調節デバイス（１７、８３）を設定するための前記制御ユニット（１３）にパルス持続時間に依存する測定信号を出力するためのパルス持続時間測定デバイス（１５）、及び、
（ｂ）前記調節デバイス（１７、８３）を駆動するために前記制御ユニット（１３）に対する自己位相変調分散寄与を供給するためのパルスエネルギーパラメータ出力デバイス（１５）、
の少なくとも一方をさらに備える、
請求項１９に記載のレーザシステム（１、１’）。
【請求項２１】
増幅器ユニット、特にファイバレーザ増幅器をさらに備え、
前記分散調節ユニット（５）は、パルス伸長のために前記増幅器ユニットの上流側に配置され、又は、パルス圧縮のために前記増幅器ユニットの下流側に配置され、特に、１０ｐｓ以下のパルス持続時間を実現するために構成される、
請求項１８から２０のいずれか一項に記載のレーザシステム（１、１’）。
【請求項２２】
レーザパルスのための分散調節の方法であって、
角分散領域（８）内のパルスレーザビームをスペクトル的にファンアウトし、組み合わせることによって角分散部分を提供するステップ（ステップ６１）と、
前記角分散領域（８）内に光学素子（１１、７０、８１）、特に、電磁放射を透過する平行平面光学板（１１）を設けるステップ（６３）であって、前記光学素子（１１、７０、８１）が、前記光学素子（１１、７０、８１）の入射面（１１Ａ）に対するスペクトル成分の入射角に依存する前記光学素子（１１、７０、８１）内の伝播方向を与えるステップ（６３）と、
前記光学素子（１１、７０、８１）内の伝播方向、及び、伝播長の少なくとも一方を変更し、それによって、具体的にはスペクトル成分の伝播方向を維持しながら、前記角分散部分に影響を及ぼすステップ（ステップ６７）と、
を含む方法。
【請求項２３】
伝播方向、及び、伝播長の少なくとも一方を変更する前記ステップ（ステップ６７）は、個々のスペクトル成分の伝播に対して、前記電磁放射の前記個々のスペクトル成分の入射角依存平行オフセットを生み出す、
請求項２２に記載の方法。
【請求項２４】
伝播方向、及び、伝播長の少なくとも一方を変更する前記ステップ（ステップ６７）は、
（ａ）前記光学素子（１１）を回転すること、及び、
（ｂ）特に、前記角分散部分内で生み出される前記分散を変更するために、前記光学素子（７０、８１）の厚さ、屈折率、及び、回折パラメータの少なくとも１つを変更すること、
の少なくとも一方によって実施される、
請求項２２または２３に記載の方法。
【請求項２５】
分散調節後に前記レーザパルス（６５）のパルス持続時間を測定するステップ（ステップ６５）、及び、
分散を適合させるために、特に、前記レーザパルスを圧縮または伸長するために、測定したパルス持続時間の関数として、前記光学素子（１１）内の伝播方向、及び、伝播長の少なくとも一方を設定する、特に角度位置（６７）を設定するステップ、
をさらに含む、
請求項２２から２４のいずれか一項に記載の方法。
【請求項２６】
自己位相変調分散寄与パラメータ、特にパルスエネルギーパラメータを与えるステップ、及び、
特に、自己位相変調によって引き起こされるレーザパルスの伸長を補償するために、前記自己位相変調分散寄与パラメータの関数として、伝播方向、及び、伝播長の少なくとも一方を変更するステップ、
をさらに含む、
請求項２２から２５のいずれか一項に記載の方法。
【発明の詳細な説明】
【技術分野】
【０００１】
本発明は、パルス圧縮器ユニットおよび／またはパルスストレッチャユニットを備えるパルスレーザシステム内の分散調節のためのユニットに関する。さらに、本発明は、そのような分散調節ユニット内の分散を微同調するための方法に関する。
【背景技術】
【０００２】
レーザパルスは、レーザパルスの達成可能な最小持続時間を決定するスペクトル幅を有する。基礎となる周波数スペクトルが広いほど、レーザパルスのパルス持続時間が短くなり得る。しかしながら、一般には、通過する材料の分散（本明細書では材料分散と呼ぶ）と、恐らくは高ピーク出力での自己位相変調とにより、スペクトル成分が分散する。したがって、特にｐｓ以下のパルス持続時間を有する短レーザパルスおよび超短レーザパルスでは、通常は、レーザパルスの発散を防止または逆転すべきである場合、光路の分散調節が実施される。パルス持続時間の分散性拡大を打ち消す光学機構は、パルス圧縮器ユニットと呼ばれる。そのような分散調節ユニットの例には、例えば、本明細書では角分散と呼ぶ、レーザパルスのスペクトル成分のファニングアウトを使用して様々な光路長を生成する格子対ベースまたはプリズム対ベースの圧縮器ユニット（略して格子圧縮器またはプリズム圧縮器）が含まれる。
【０００３】
さらに、特に、増幅後のパルスが、例えば増幅器のレーザ媒体で、自己集束などの非線形効果を引き起こし得る程度に高い強度となり得る。そのような非線形光学的効果は、ビーム品質およびパルス品質、したがって増幅プロセス全体に対する悪影響を有し得る。したがって、増幅器構成は、能動的に伸長されたレーザパルスが増幅され、または増幅プロセス中にパルス伸長が行われるように設計される。本明細書では、レーザパルスのパルス持続時間の分散性拡大を引き起こす、そのような分散調節ユニットの光学機構をパルス伸長ユニットと呼ぶ。例えば、そのような分散調節ユニットの例には、例えば、その後で使用されるパルス圧縮器ユニットとは反対の角分散を使用する一体型レンズシステムを有する、格子対ベースまたはプリズム対ベースの伸長ユニット（略して格子ストレッチャまたはプリズムストレッチャ）が含まれる。さらに、レーザパルスは、例えば、パルス幅拡大のための対応する分散特性を有する材料を通じて、例えば、恐らくは一体型（チャープ）ファイバブラッグ格子を有する光ファイバを通じて誘導され得る。
【０００４】
格子またはプリズム圧縮器、および、格子またはプリズムストレッチャについての基本パラメータは、スペクトルファニングアウトの範囲である。これは、例えば、使用される格子の格子定数、または使用されるプリズムの屈折率に依存する。一般には、分散は、角分散によって引き起こされる経路長の差を決定する、格子間またはプリズム間の距離によって調節され得る。格子圧縮器または格子ストレッチャの場合には、例えば回折によって蓄積される位相が、分散に寄与する。一般には、分散をより良好に補償することができるほど、パルス持続時間がスペクトル的に達成可能なパルス持続時間により近づくことができる。パルス持続時間が短いほど、より多くの分散の次数を圧縮のために考慮に入れなければならない。また、微調整のためにビーム経路中に配置された薄いガラス板を使用することができる。つまり、ビーム経路の分散特性を材料分散によって調節することができる。
【０００５】
一般には、上記のパルス伸長およびパルス圧縮の概念は、いわゆるＣＰＡ（チャープパルス増幅）が高パルスエネルギーを有する超短パルスを生成するために使用される。例えば、ファイバレーザシステムで（超）短パルスを生成するために、ファイバレーザの入力レーザパルスは通常、（例えば、ファイバベースのストレッチャまたは格子ストレッチャで）一時的に伸長され、ファイバ増幅器ユニットで増幅され、次いで（例えば、格子圧縮器で）一時的に圧縮される。（超）短パルスを生成するための類似の機構は、例えば工作機械内のディスクレーザシステムに基づき得る。通常、スペクトル成分の分散を逆転させるために、非常に精密で技術的に精巧な圧縮が必要とされる。
【０００６】
現況技術では、例えば格子圧縮器での、精密な分散制御のための様々な手法が知られている。例えば、特許文献１及び特許文献２は、パルス持続時間の変化がストレッチャまたは圧縮器の格子間隔を介して制御され、さらに「チャープ」ＦＢＧ（ファイバブラッグ格子）を使用して微同調される概念を開示している。別の手法が特許文献３及び特許文献４から知られている。さらに、特許文献５は、１つまたは２つのガラス板がビーム経路中に配置される、材料分散に基づく分散補償を伴うＯＰＯシステムを開示している。さらに、特許文献６は、ＳＬＭを備えるパルス波形器を開示しており、特許文献７は、パルスレーザビームの光ファイバベースの誘導でのストレッチャ−圧縮器機構の使用を開示しており、特許文献８は、レーザシステム用のパルス波形器を開示しており、特許文献９は格子圧縮器を備えるパルスレーザシステムを開示している。
【先行技術文献】
【特許文献】
【０００７】
【特許文献１】国際公開第２０１５／１１７１２８Ａ１号明細書
【特許文献２】米国特許第７８２２３４７Ｂ１号明細書
【特許文献３】米国特許第７７２９０４５Ｂ２号明細書
【特許文献４】米国特許第８７８０４４０Ｂ２号明細書
【特許文献５】独国特許出願公開第１０ ２０１０ ０１８９６７Ａ１号明細書
【特許文献６】米国特許出願公開第２００８／０３０４１２７Ａ１号明細書
【特許文献７】米国特許第６２７２１５６Ｂ１号明細書
【特許文献８】米国特許出願公開第２０１１／０２５５５６３Ａ１号明細書
【特許文献９】米国特許出願公開第２００６／０１５９１３７Ａ１号明細書
【発明の概要】
【発明が解決しようとする課題】
【０００８】
本開示の一態様は、例えば格子対ベースおよびプリズム対ベースの分散調節ユニットについての拡張された分散調節を提供するための目的に基づく。本発明の別の態様は、分散調節ユニットの後のビーム品質およびビーム経路に可能な限り少ない影響を有する、そのような分散調節ユニットのための分散調節を使用可能にする目的に基づき、具体的には、光学構成要素の容易に制御可能な設定に基づく。
【課題を解決するための手段】
【０００９】
目的のうちの少なくとも１つは、請求項１に記載の分散調節ユニット、請求項２に記載の分散調節ユニット、請求項１８に記載のレーザシステム、および請求項２２に記載の分散調節のための方法によって達成される。別の実施形態が従属請求項で与えられる。
【００１０】
一態様では、スペクトル幅を有する電磁放射に対する、特にレーザパルスに対する分散調節ユニットが、少なくとも１つの分散素子を有する電磁放射の２つの相互作用領域によって境界が定められる、角分散領域内で角分散を生成するための少なくとも１つの分散素子を有する構成を備え、角分散領域内で、電磁放射の個々のスペクトル成分が、互いに対してある角度で進む光路に関連付けられる。さらに、分散調節ユニットは、角分散領域内に配置され、電磁放射を透過する光学素子を有する光学ユニットを備える。光学素子は、光学ユニットの前後で、個々のスペクトル成分の伝播に対して、電磁放射の個々のスペクトル成分の入射角依存平行オフセットを生み出す。
【００１１】
別の態様では、スペクトル幅を有する電磁放射に対する、特にレーザパルスに対する分散調節ユニットが、角分散を生成するための少なくとも１対の分散素子を備える。分散素子の対は、分散素子の対の分散素子の間で、個々のスペクトル成分が互いに対してある角度で進む光路に関連付けられるように配置される。分散調節ユニットは、分散素子間のビーム経路中に配設され、ビーム経路に対して光学素子の角度位置を調節するために回転可能に支持される光学素子をさらに備える。
【００１２】
別の態様では、レーザシステムは、スペクトル的に広いレーザパルスと、前述のような少なくとも１つの分散調節ユニットと共に、パルス伸長もしくはパルス圧縮またはその両方とを生成するためのレーザパルス源を含む。
【００１３】
さらに、レーザシステムは、制御ユニットと、制御ユニットにパルス持続時間依存測定信号を出力するためのパルス持続時間測定デバイスとを備え得る。それによって、制御ユニットは、例えば、パルス持続時間依存測定信号に応じて、ビーム経路に対する光学素子の角度位置を設定するために構成される。
【００１４】
別の態様では、レーザパルス用の分散調節のための方法が、角分散領域内のパルスレーザビームをスペクトル的にファンアウトし、組み合わせることによって角分散部分を提供するステップと、角分散領域内に光学素子を設けるステップであって、光学素子が光学素子の入射面に対するスペクトル成分の入射角に依存する光学素子内の伝播方向を与えるステップと、光学素子内の伝播方向、及び、伝播長の少なくとも一方を変更し、それによって、具体的にはスペクトル成分の伝播方向を維持しながら、角分散部分に影響を及ぼすステップとを含む。
【００１５】
例えば、少なくとも１つの分散素子の機構のスペクトル的にファンアウトした領域内への（電磁放射を透過する光学素子の一例としての）回転可能なガラス板の導入の結果、関連する分散調節ユニットの分散設定の追加のパラメータが生じる。ガラス板に対するスペクトル依存入射角により、異なるスペクトル成分についてガラス板内の経路が異なる長さとなり、ガラス板後のビーム経路が異なるものとなる。具体的には、個々のスペクトル成分の入射角依存平行オフセットが形成される。それによって、屈折率のスペクトル依存、したがって材料分散の変更のスペクトル依存が、変更される平行オフセットのために、分散の変化と比較して本質的に無視できる。
【００１６】
回転可能なガラス板を用いて、（例えば、格子／プリズム／グリズム）圧縮器内のレーザパルスの一時的圧縮が修正され得る。
【００１７】
分散を調節するために、ガラス板が、例えば制御ユニットを介して回転可能に取り付けられる。そのような構成は、ビーム品質にほとんど、または全く影響を及ぼすことなく実装され得る。一般には、回転によって与えられる分散修正の調節範囲または感度を選択するために、ガラス板（一般には分散調節の光学素子）の厚さが使用され得る。
【００１８】
分散適合中の個々のスペクトル成分の光路に対する同様の効果が、２重ウェッジ（wedge）構造、電気光学変調器、及び、２つの音響光学変調器の少なくとも１つを含む光学素子を使用しても達成され得る。
【００１９】
角分散の波長／入射角依存修正についての必要条件は一般に、屈折率変更が光学ユニットで実現されることである。空気／窒素での実装では、入射角に依存する屈折を実現するために、光学素子の屈折率は１に等しくないものとする。
【００２０】
例えば、二重光路を有する折返し型の格子圧縮器の場合には、平行平面板が、ビーム品質に対する影響を最小限に抑える利点を有する。しかしながら、折り返しの無い格子圧縮器では、例えば伸長または圧縮が小さく、したがって非対称的ビーム経路中のビーム品質に対する効果が低いままである場合、光学素子を備える光学ユニットが、一方の側に設けられ得るだけである。
【００２１】
優先的に、光学素子は、非垂直入射を仮定して、入射（単色）ビームの方向に平行に変位する幾何形状を有する。それによって、光学素子の前後の、スペクトル的に発散する領域内の個々のスペクトル成分の伝播方向が同じままとなり、その結果、個々のスペクトル成分のビーム経路間の角度関係が維持されるが、ファニングアウトの度合いが変更され得る。
【００２２】
光学素子は、使用されるスペクトル範囲内で透過的であり、一般には、平行平面入射面および出射面を有する。例えば、平行平面入射面および出射面を与えるのは、平行平面水晶板または光学素子系である。例えば、入射面および出射面は、出力損失および干渉を回避するために反射防止コーティングされ得る。
【００２３】
さらに、光学ユニットは、互いに反対に回転され得る（光学素子としての）２つのガラス板を有し得、例えば、その結果、ガラス板が適切に位置合せされる場合、ビームオフセットのないゼロ位置が実装され得、ゼロ位置では、本質的にガラス板の材料分散だけが分散調節ユニットの分散特性に寄与する。さらに、光学ユニットは、分散特性の微同調用の薄板、および粗調整用の厚板を含み得る。
【００２４】
本明細書で開示される概念および実施形態は、以下の利点を有し得る。パルス持続時間が、分散素子のうちの１つの移動（例えば、距離調節のための格子圧縮器内の第２の格子の変位）とは無関係に、またはそれに加えて設定され得る。例えば、格子圧縮器の場合には、ビーム品質が、格子構造の向きに非常に敏感である。したがって、パルス持続時間の調節には、非常に複雑な格子ホルダが必要となり、格子ホルダには、格子構造の向きに影響を及ぼすことなく非常に精密に移動することが要求される。さらに、分散調節の感度、したがって、光学素子の材料厚さ、例えば数ミリメートルまたは数センチメートルの平行平面板を介する、板の回転に対する、レーザパルスのパルス持続時間の微調整を選択することができる。例えば、材料厚さは、圧縮器機構が可能な限り安定するように選択され得る。また／或いは、パルス持続時間が、モータまたは圧電素子を使用して光学素子を回転することによって能動的に調節または変更され得る。一般には、材料厚さは所望の調節範囲に従って選択され、それによって、小さい角度変化が、薄い光学素子よりも厚い光学素子について大きい効果を有する。さらに、例えば、２重ウェッジ構成が、光学素子の初期厚さを調節可能にし得る。２重ウェッジ構成では、ウェッジのうちの少なくとも１つはまた、圧縮器またはストレッチャの格子／プリズム／グリズムなどの分散素子とは無関係に移動され得る。
【００２５】
一般には、本明細書で提案される概念は、分散調節ユニットのために必要とされる設置スペースを削減することを可能にする。さらに、分散はまた、分散素子（例えば、格子、プリズム、またはグリズム）の並進運動なしに調節され得、その結果、具体的には、分散を調節するとき、ビーム経路に及ぶ影響は、それがある場合でもわずかだけである。
【００２６】
本明細書では、従来技術の態様を少なくとも部分的に改善することを可能にする概念が開示される。具体的には、追加の特徴およびその有用性は、図面に基づく実施形態の以下の説明の結果から得られる。
【図面の簡単な説明】
【００２７】
【図１】パルス持続時間圧縮のための回転可能なガラス板に基づく分散調節ユニット（圧縮器）を備えるレーザシステムの概略図である。
【図２Ａ−２Ｂ】回転角依存分散寄与の例示的計算を示す図である。
【図３Ａ−３Ｄ】小さい格子定数についての回転角依存分散次数の例示的計算を示す図である。
【図４Ａ−４Ｂ】分散調節を示すための輝度曲線の例示的計算を示す図である。
【図５Ａ−５Ｄ】大きい格子定数についての回転角依存分散次数の例示的計算を示す図である。
【図６】パルス整形を示すための輝度曲線の例示的計算を示す図である。
【図７】パルス持続時間伸長のための回転可能なガラス板に基づく分散調節ユニット（ストレッチャ）の概略図である。
【図８Ａ−８Ｃ】分散調節ユニットのためのいくつかの回転可能な光学素子を備える光学ユニットの例示的設計を示す図である。
【図９】分散調節のための方法の例示的流れ図である。
【図１０】分散調節ユニットのための２重ウェッジ構造に基づく別の光学ユニットの概略図である。
【図１１】パルス持続時間圧縮のための電気光学変調器に基づく分散調節ユニットを備えるレーザシステムの概略図である。
【図１２】パルス持続時間圧縮のための単一の分散素子に基づく分散調節ユニットを備えるレーザシステムの概略図である。
【発明を実施するための形態】
【００２８】
本明細書で説明する態様は、部分的には、例えば格子、プリズム、またはグリズム（grism）圧縮器（またはストレッチャ）の角度分散性ファンアウト伝播区間に介在することによって分散特性に影響を及ぼすための追加の可能性があるという理解に基づく。それによって、入射角に依存する個々のスペクトル成分の平行オフセットによって角分散が修正され得ることがさらに理解された。
【００２９】
以下では、図１を参照すると、（通常は分散調節を適用するレーザシステムについて例示的な）超短パルスシステムのための分散調節についての概念が、回転可能なガラス板に基づくパルス持続時間圧縮のための分散調節ユニットを使用して説明される。
【００３０】
図１では、超短パルスシステム１が、スペクトル的に広いレーザパルスを生成するためのレーザパルス源３と、パルス持続時間圧縮のための分散調節ユニット５とを備え、分散調節ユニット５は、以下で説明する光学ユニット４を備える。レーザパルス源３は、例えば、レーザ発振器、またはレーザ発振器−増幅器の組合せとして構成され得る。さらに、類似の分散調節ユニット（例えば、図７参照）が、パルス伸長の観点から、レーザパルス源３内に一体化され得る。
【００３１】
超短パルスシステム１では、例えば１ｎｍ以上のスペクトル幅、および例えば０．１μＪ以上のパルスエネルギーを有するレーザパルスが、入力ビーム６として分散調節ユニット５に供給される。レーザパルスのスペクトル幅は、ターゲット位置で、所望のパルス持続時間、例えば最短の可能なパルス持続時間、または処理方法に適合されたパルス持続時間を有するレーザパルスの一定のパルス形状（強度曲線）を実現するために、ビーム経路の分散調節を必要とする。
【００３２】
分散調節ユニット５は例示的に折返し格子圧縮器として構成される。格子圧縮器は、第１の格子７Ａおよび第２の格子７Ｂとして実施された１対の分散素子を備え、この１対の格子７Ａ及び７Ｂは、レーザ放射と格子の２つの相互作用領域を与える。スペクトル依存回折条件によって、第１の格子７Ａの後に角分散が生成される。すなわち、分散素子（格子７Ａおよび７Ｂ）の間の角分散領域８では、個々のスペクトル成分についての光路が、ファンアウト平面内で互いに対してある角度で進む。
【００３３】
図１は、中心波長λ０ならびにより長い（λ＞λ０）および短い（λ＜λ０）波長についての、ビーム経路の３つの光路８Ａ、８Ｂ、８Ｃを示す。異なる波長の光路８Ａ、８Ｂ、８Ｃは、ファンアウトエリア８内で互いに対してある角度で進む。第２の格子７Ｂは、折返しを引き起こす反射器要素９に向かう光路８Ａ、８Ｂ、８Ｃの位置合せ／平行化を引き起こす。反射器要素９は、例えば、偏向プリズムまたはルーフミラーであり、その結果、帰り道は、同一の光学的条件を受けるが、例えばピックアップミラー１０Ａでの入力ビーム６からの出力ビーム１０の圧縮レーザパルスの分離を可能にするために、高さが変位する。図１では、分散素子７Ａ、７Ｂは、透過型回折格子として例示的に構成される。あるいは、反射回折格子、プリズム、またはグリズムが使用され得る。
【００３４】
本明細書で開示される概念によれば、分散調節ユニット５は光学ユニット４を備え、光学ユニット４は、分散を調節するための追加のパラメータを与える。図１に示される実施形態では、光学ユニット４は、例えば透過型平行平面板１１を光学素子として備える。光学素子、すなわち板１１は、例えば水晶、ＹＡＧ、サファイア、またはＳＦ１０から作製される。光学素子は、第１の格子７Ａと第２の格子７Ｂとの間のファンアウトエリア８内に配置される。図１は、光路がどのように延びるかをより明確に示すことができるために、過大の板１１を示す。スペクトルファニングのために、個々の波長は、板１１の入射面１１Ａ上に異なる角度で降下し、異なる光路上で板１１を通過し、互いに異なる距離で出射面１１Ｂから出射し、それによって、波長間の角度関係が平行平面板について維持される。したがって、板１１は、板１１の前後で、個々のスペクトル成分の伝播に対する、レーザ放射の個々のスペクトル成分の入射角依存平行オフセットを引き起こす。図１では、光路８Ａ、８Ｂ、８Ｃの方向が、互いに平行に配置された格子７Ａ、７Ｂに対応して設定される。
【００３５】
光学ユニット４はまた、回転軸１７Ａ周りの板１１の角度位置を調節するための角度調節デバイス１７をも含み得る。レーザシステム１は、角度調節デバイス１７を制御するための制御ユニット１３およびパルス持続時間測定デバイス１５をさらに備え得る。
【００３６】
板１１の回転が、板１１の中の光路と、出射面１１Ｂでの波長間の距離とを変更することがわかる。したがって、回転は分散調節ユニット５の分散特性に影響を及ぼし、その結果、板１１を回転することによって、出力ビーム１０内のレーザパルスのパルス持続時間が設定され得る。
【００３７】
本明細書で説明する概念とは対照的に、前述のＤＥ第１０  ２０１０  ０１８９６７Ａ１号で開示される機構は、格子間に配置されないガラス板に基づく。したがって、その機構は、比較すると、著しく低い材料分散寄与だけを示し、本明細書で開示される機構の場合のようにパルス持続時間をさらに変更する、格子間に配置された光学素子の幾何学的効果を示さない。
【００３８】
図１に関連して説明する分散調節ユニット５を使用すると、ビームまたはパルス品質を著しく低下させることなく、約１．５ｍｍの厚さの平行平面ガラス板で、パルス持続時間が２００ｆｓから１ｐｓの間で変更され得る。この調節は、圧縮器格子７Ａ、７Ｂ間の距離を調節することによる従来の調節方法よりも再現性が高く、また、より便利である。パルス持続時間は、２００ｆｓから１ｐｓの範囲に限定されないのは明らかであるが、パルス持続時間は（回転角δの所与の調節範囲において）とりわけガラス板の厚さおよび材料によって選択され得る。
【００３９】
以下では、機能原理が、一般的にではあるが、図１に示される構成を参照しながら例示的に要約される。当業者は、類推によって、本開示の枠組み内の、以下で説明する代替構成に機能原理を移転し得る。第１の格子７Ａでの回折により、異なるスペクトル成分が、板１１上に異なる角度の下で降下する。それによって、板１１を回転するとき、スペクトル成分間の位相差が、いくつかの効果によって変化する。
【００４０】
１．異なるスペクトル成分について、光学ユニット（例えば、板１１）内の経路は異なる。これにより、異なる光路長となり（波長に対する屈折率の依存は、ほとんどの構成では無視できる）、したがって位相差となる。板１１の場合には、位相差は、例えば、ビーム経路中の板１１の向きに依存し、すなわち、位相差は一般に、例えば中心波長の板１１に対する入射角に依存する。
【００４１】
２．異なる入射角のために、スペクトル成分は、板１１を出射するとき、異なる大きさのビームオフセットを受ける。それによって、板１１が回転するとき、以下が変化し得る。
【００４２】
ａ）異なるスペクトル成分についての、板１１と第２の相互作用エリア（格子７Ｂ上の入射エリア）との間の経路長、
【００４３】
ｂ）第２の相互作用領域（格子７Ｂでの入射エリア）でのビームのサイズ（すなわち、ファニングアウト）、したがって第２の分散素子（格子７Ｂ）の位相寄与、および
【００４４】
ｃ）異なるスペクトル成分についての、第２の分散素子（格子７Ｂ）と反射器要素９との間の経路長。
【００４５】
異なるスペクトル成分の間の位相差に対するこれらの効果の寄与、または分散の寄与が、図２Ａおよび２Ｂでガラス板について示されている。図２Ａおよび２Ｂは、機能原理に対する前述の寄与を考慮に入れた場合における、位相（φ＝β０＋β１＊（ω−ω０）＋β２／２＊（ω−ω０）２＋．．．）のβ２係数を示す。β２係数は、ガラス板の回転角の関数として与えられ、それによって、図２Ｂは、ガラス板の０°位置の周りの寄与を拡大した形で示す。０°位置では、中心波長はガラス板上に直交して降下する（入射角０°）。与えられる値は、垂直格子距離Ｉｇｒａｔｉｎｇ  ５０ｍｍ、板厚１０ｍｍ、格子定数５８８ｎｍを有する機構に対応する。図２Ａおよび２Ｂでは、グラフが以下のような寄与に割り当てられる。
【００４６】
２１（点線）：板のない圧縮器であり、それによって、圧縮器格子の距離が、β２が０°位置の回転角δの板を有するものと同様の大きさとなるように適合される。
【００４７】
２３（破線）：機能原理のポイント１）および２ａ）による、格子間の経路についての位相に対する板の寄与が含まれる。
【００４８】
２５（一点短鎖線）：機能原理のポイント１）、２ａ）、および２ｂ）による、格子間の経路についての板の寄与と、第２の格子の寄与が含まれる。
【００４９】
２７（実線）：機能原理のポイント１）、２ａ）、および２ｂ）、および２ｃ）による、板のすべての寄与が含まれる。
【００５０】
すべての寄与が、図示される角度範囲内の分散調節に関係することがわかる。それらは本質的に同程度の大きさであるからである（特に図２Ｂを参照）。
【００５１】
板回転のβ２に対する寄与を、格子圧縮器の長さの変化のβ２寄与と比較した場合、これらも同程度の大きさである。
【００５２】
図３Ａから３Ｄに示されるように、ガラス板が回転するとき、特に小さい格子定数について、分散次数の比の変化は、β２自体よりも著しく小さい。図３Ｃおよび３Ｄでは、相対的デルタ（ｒｅｌ．Δ（β３／β２）またはｒｅｌ．Δ（β４／β２））が、分散次数の関係を特徴付ける値として例示的に示されている。例えば、相対的デルタΔ（β３／β２）は以下によって与えられる。
【００５３】
2019522361.tif 000003
【００５４】
ガラス板を回転することは、格子距離を変更することとほぼ同じ効果を有するので、間隔の変化が、分散調節中の回転角の変化に置き換えられ得る。したがって、ガラス板は、特に小さい格子定数について、パルス持続時間／パルス形状を設定または制御するために使用され得る。
【００５５】
図４Ａおよび４Ｂは、そのスペクトル幅を、最小可能持続時間３００ｆｓにする実現パルス圧縮の計算を例示的に示す。図４Ａは、圧縮器がガラス板の非最適向き、または格子間の非最適距離を有する、分散調節ユニットの設定のための強度曲線を示す。ガラス板の角度位置を最適化することによって、図４Ｂの強度曲線に示されるように、パルス持続時間が大幅に圧縮され得る。
【００５６】
高スペクトル幅を有する超短パルスでは、パルス品質（特に、パルス持続時間およびパルス形状）が、βの高次β３、β４．．．に対して敏感に反応する。小さい角度範囲内のみでガラス板を回転する場合であっても、パルス持続時間は変化する。したがって、本明細書で開示する概念の適用は、パルス品質の最適化（特に大きい格子定数および（超）短パルスについての最適化）に、よりふさわしい。
【００５７】
大きい格子定数では、高次β３、β４．．．に対するβ２の比は、小さい格子定数よりもずっと激しく変化する。これが図５Ａから５Ｄに示されており、図３Ａから３Ｄと類似の、格子定数５８８ｎｍについてのβ２の例示的角度依存性およびβ２に対する相対比が示されている。このとき、入射角、すなわちガラス板の回転と、圧縮器格子間の距離とを調節することによってパルス品質を最適化するために、高次に対する寄与がさらに使用され得る。
【００５８】
図６は、達成可能最少パルス持続時間７０ｆｓのスペクトル幅を有するパルスの圧縮中のストレッチャ−圧縮器システムの非最適同調についての例示的計算を示す。ガラス板を使用しない場合の、即ち、純粋に圧縮器距離調節に基づいた場合のパルス圧縮の結果が、点線３１で示される強度曲線である。例えば、この結果、ガラス板のない圧縮器の後で、１２０ｆｓのパルス持続時間が得られる。システムが本発明のように圧縮器内のガラス板によって補完され、圧縮器格子間の距離と、ガラス板の回転角δの両方が最適化される場合、例示的に計算された強度曲線の実線によって示されるように、パルス持続時間が、例えば８０ｆｓ未満までさらに低減され得る。
【００５９】
図１に戻ると、レーザシステム１は、制御ユニット１３およびパルス持続時間測定デバイス１５を備え、光学ユニット４は、パルス持続時間測定値に応じて光学素子１１の角度位置を設定するための角度調節デバイス１７を備える。
【００６０】
例えば、パルス持続時間測定デバイス１５は、パルス持続時間依存測定信号（例えば、自己相関信号）を出力するように構成される。例えば、パルス持続時間測定デバイス１５には、ミラー１９でピックアップされた出力ビーム１０の（非反射）部分が供給される。パルス持続時間測定デバイス１５は制御ユニット１３に測定信号を送信し、制御ユニット１３は角度調節デバイス１７に制御信号を出力する。例えば、制御ユニット１３は、最適化アルゴリズムを使用して、パルス持続時間の低減のために角度位置（および場合によっては分散素子の距離）を変更し、パルス持続時間を、最短パルス持続時間、または特定の材料処理応用例のために必要とされるパルス持続時間（またはパルス形状）に設定する。
【００６１】
角度調節デバイス１７は、例えば、回転角δの特にステップフリーの調節を可能にする、光学素子の電動式の回転可能なホルダ、および／または圧電制御素子を介して回転可能なホルダでよい。これにより、例えば、能動的に設定され、具体的には制御される、回転角の調節による、パルス持続時間の設定、具体的には制御が可能となる。
【００６２】
図７は、格子ストレッチャとして構成された分散調節ユニット５０での、本明細書で開示される分散適合の概念の例示的実装を示す。角分散寄与の逆転を達成するために、ストレッチャでは、少なくとも１つの分散素子上の相互作用領域間にレンズ系（例えば、望遠鏡機構）が設けられ得、それによって、例示的に２つの透過型格子７Ａ’、７Ｂ’が図７に示されている。圧縮器については、代替として、少なくとも１つの分散素子が、反射型回折格子、プリズム、またはグリズムとして構成され得る。
【００６３】
レーザビームを集束する機構が第１の格子の像を生み出し、その結果、ファンアウトされたスペクトル成分が集束する。一例として、２つのレンズ５１Ａ、５１Ｂを備える望遠鏡機構５１が図７に示されている。平行平面板として構成された光学素子１１’が、望遠鏡機構５１の後ろの第２の格子７Ｂ’の前に挿入される。図１の板１１と同様に、光学素子１１’は回転可能に取り付けられ、ストレッチャ機構の分散挙動を適合させるように、入射角に関して調節され得る。
【００６４】
図１と同様に、分散調節ユニット５０は反射器要素９’と共に折り返される。図１の圧縮器構成とは対照的に、光学素子１１’は、収束するファンアウトエリア内に配置される。代替または追加として、第１のレンズ５１Ａの正面に光学素子がさらに配置され得る。集束機構はまた、１つまたは複数のレンズおよび／またはミラーをも含み得る。
【００６５】
圧縮器機構に関して上記で説明した分散に関する側面は、ストレッチャ機構に転用することができ、特に、機能的な原理と、パルス持続時間およびパルス形状の調節のための応用に転用できる。
【００６６】
図８Ａから８Ｃは、ストレッチャ機構および圧縮器機構で使用され得る光学ユニットのための回転可能に取り付けられた光学素子の別の実施形態を示す。
【００６７】
図８Ａでは、光学ウェッジ（wedge）対３５（２重ウェッジ構造）が導入される。光学ウェッジは、例えば超短オプティクスで知られている。光学ウェッジ対３５は、複数ウェッジ構成の一例である。ウェッジ３５Ａ、３５Ｂは、例えば同一である。光学ウェッジ対３５は、光学ユニット４の回転可能な光学素子として使用され得る。ウェッジ３５Ａ、３５Ｂはそれぞれ、鋭角で収束する２つの平面側面を有する。ウェッジ３５Ａ、３５Ｂは、ウェッジの側面のそれぞれが互いに平行な光学素子の入射面１１Ａまたは出射面１１Ｂとして働くように、ファンアウトされたビーム経路中に配置される。他の側面は、例えばほぼ一定の厚さを有する、ウェッジ間の薄いエアギャップ３７を形成する。
【００６８】
ウェッジ３５Ａ、３５Ｂのうちの少なくとも１つが、移動可能（矢印３９）となるように（例えば、直線状にスライドするテーブル上に）取り付けられ、その結果、ウェッジ対３５の厚さは、ウェッジ３５Ａ、３５Ｂの挿入位置に応じて調節され得る。したがって、分散調節のための更なる可変な設定として、挿入が使用され得る。角度設定は、２重ウェッジ３５（矢印４１Ａ）全体を回転することによって調節される。
【００６９】
いくつかの実施形態では、ガラス板の特別な実施形態として２重ウェッジが使用され得、それによって２つのウェッジが、同一の角度の周りに一緒に回転され得る。
【００７０】
複数ウェッジ構成はまた、光学素子の機械的回転が不要である一実施形態を作成する一方式でもある。これが、図１０に関連して以下で一例として説明される。機械的移動を必要としない他の実施形態が、例示的に図１１に関連して説明され、この実施形態は、例えば、ＥＯＭまたは複屈折結晶の屈折率の変化に基づいている。
【００７１】
回転可能な光学素子を備える光学ユニットに戻ると、図８Ｂは、初期位置で角分散を本質的に不変のままにすることを可能にする別の実施形態を示す。この目的で、光学ユニットは、反対方向（矢印４１Ｂ、４１Ｂ’）に回転され得る、１対の同一の、例えば平行平面の透過板、４３Ａ、４３Ｂを備える。それによって、第１の板４３Ａの平行オフセットが、適切な向きを有する第２の板４３Ｂによって補われ（図８Ｂでは破線で示される）、その結果、この位置では、分散が、例えば格子と板４２Ａ、４３Ｂの材料分散との間の距離のみによって決定される。
【００７２】
図８Ｃは、２つの平行平面板４５Ａ、４５Ｂの別の機構を示すが、２つの平行平面板４５Ａ、４５Ｂは異なる厚さおよび／または材料である。例えば、薄板４５Ａは分散特性の微同調のために使用され、厚板４５Ｂは粗調整のために使用され得る。この場合も、分散は一方または両方の板４５Ａ、４５Ｂ（矢印４７Ａ、４７Ｂ）を回転することによって設定される。
【００７３】
図８Ａから８Ｃに示される実施形態は、平行平面入射面および出射面を一緒に提供し、したがって光学ユニットの前後でスペクトル伝播方向を維持する複数の光学素子からなる光学ユニットの例である。
【００７４】
分散調節ユニットの別の構成は、例えば、２対の分散素子を有する折り返しの無い機構と、ファンアウトエリアのうちの少なくとも１つの中に配置される１つの光学ユニットとを含む。さらに、ストレッチャおよび圧縮器機構は、特に光学素子に関して、互いに対して適合され得る。
【００７５】
本明細書で提案される分散調節ユニットが使用され得るレーザシステムの例には、例えば０．１μＪ以上のパルスエネルギーと、例えば５０ｐｓ以下の範囲内のパルス持続時間とを有するレーザシステムが含まれる。そのようなレーザシステムの応用分野には、ガラス切断（例えば、ディスプレイおよび医用製品の切断）、マーキング、眼手術などの医用応用例、射出ノズルの穿孔、および科学実験の実施が含まれる。
【００７６】
本明細書で開示される概念に基づいて、分散調節のための方法は、図９に示される以下のステップを含み得る。
【００７７】
角分散部分が、パルスレーザビームのスペクトルファニングおよび組合せによって与えられる（ステップ６１）。パルスレーザビームのファンアウトエリア内に光学素子を導入することによって（ステップ６３）、角分散部分が、例えば平行平面板、複数ウェッジ構造、ＥＯＭなどを介して影響を受ける。特に、導入された光学素子による材料分散も、分散解析の中で考慮され得る。例えば平行平面板の形態の光学素子が、回転可能に取り付けられており、これによって、レーザビームに対するその角度が調節可能である。さらに、レーザパルのパルス持続時間が分散調節の後に測定される場合（ステップ６５）、光学素子は、例えば、測定されたパルス持続時間の関数として角度が調節され、分散が調節され得る（ステップ６７）。これにより、分散調節ユニット内の様々に組合せ可能な分散寄与によるパルス整形と同様に、特に、パルス持続時間の圧縮または伸長が可能となる。さらに、分散調節は、角分散調節と共に、または角分散調節に加えて実施され得る。
【００７８】
また、例えば、分散境界条件が、例えば自己位相変調のために、必要とされるパルスエネルギーの関数として再現可能に変化するシステムにおいて、いくつかの制御概念が実装され得る。例えば、これらの制御概念によって、光学ユニット、例えば光学素子の角度位置またはＥＯＭに印加される電圧が、必要とされるパルスエネルギーの関数として調節される。したがって、前述のパルス持続時間測定値は、パルスエネルギーパラメータの提供によって置き換えられ、または補充され得る。例えば、１ｒａｄより小さいＢ−ｉｎｔｅｇｒａｌ値を有するパルスについて（本質的に自己位相変調なし）、光学素子に対してほぼ直交する入射が設定され得る。パルスエネルギーが増大するにつれて、パルス持続時間に対する分散効果を補償するように光学素子が回転する。
【００７９】
さらに、伝播方向及び伝播長の少なくとも一方を変更することによって、個々のスペクトル成分の伝播に対する電磁放射の個々のスペクトル成分の平行オフセットが引き起こされ得る。平行オフセットは入射角に依存する。具体的には角分散領域内で生成される分散を変更するために、（ａ）光学素子を回転すること、及び／又は、（ｂ）光学素子の厚さ、及び／又は、屈折率、及び／又は、回折パラメータを変更することによって、伝播方向、及び／又は、伝播長が変更される。
【００８０】
この方法は以下のステップを含みうる。即ち、分散適合の後にレーザパルスのパルス持続時間を測定するステップと、分散の適合のために、光学素子内の伝播方向、及び／又は、伝播長を設定するステップ、特に、レーザパルスを圧縮または伸長するために、測定したパルス持続時間の関数として角度位置を設定するステップとを含み得る。この方法はまた、以下のステップを含みうる。即ち、自己位相変調分散寄与パラメータ、特にパルスエネルギーパラメータを与えるステップと、特に、自己位相変調によって引き起こされるレーザパルスの伸長を補償するために、自己位相変調分散寄与パラメータに応じて伝播方向、及び／又は、伝播長を変更するステップとを含み得る。
【００８１】
一般には、光学素子の調節デバイスは、パルス持続時間依存測定信号、平均パルス出力パラメータ、ピークパルス出力パラメータ、及び／又は、パルスエネルギーパラメータの関数として、分散調節ユニットの分散寄与を設定するように構成され得る。これは、具体的には、分散調節ユニットの前、及び／又は、後で、光ビーム経路の自己位相変調分散寄与を割り当てるために行われる。
【００８２】
いくつかの実施形態では、例えば、光学素子の厚さが、例えば格子対の距離の変化なしに、パルス長が最小限に抑えられ得るように選択され得る。一般には、必要とされる厚さは、分散調節ユニットの異なる光学構成要素のパラメータに依存する。例えば、必要とされる厚さは、例えば格子の垂直線間隔によって引き起こされる、実装される分散角度ファニングと、入射角とに依存する（有効厚は、ほぼ直交する入射または斜めの入射、例えば中心波長に関するブリュースター角の入射によって影響を受ける）。さらに、必要とされる厚さは、レーザパルスの持続時間、レーザパルスのスペクトル幅、レーザパルスエネルギー、自己位相変調を有する光学系の傾向などのレーザビームパラメータに依存する。
【００８３】
図１０は、図８Ｂによる２重ウェッジ構造７０について例示的に示される、複数のウェッジ構成の厚さの変化により、光学ユニットの前後で電磁放射の個々のスペクトル成分の伝播に関する個々のスペクトル成分の入射角依存平行オフセットが生じることをさらに示す。
【００８４】
具体的には、２つの厚さに対してビームオフセットが引き起こされる。つまり、ウェッジ３５Ａの入射面１１Ａに直交しない光路７１を有する入射スペクトル成分について、入射面１１Ａに対する法線ｎに対する角度ε（≠０）の下で、ウェッジ３５Ａ、３５Ｂを通る斜めの通過によってビームオフセットが引き起こされる。このビームオフセットは２重ウェッジ構造７０の厚さに依存する。２重ウェッジ構造７０がより厚く設定されるほど、出射光路７３、７３’は入射光路７１に対してより平行に変位する。角分散領域内の異なるスペクトル成分は、互いにある角度をもって進む光路に関連付けられるので、角度εは異なる値となり、平行ビームオフセットも異なってくる。その結果、（図１０の矢印３９に沿った変位による）光学素子の厚さの変化のみによって角分散が変化し、したがって分散調節が可能となる。さらに、前述のように、オフセットは、第２の相互作用エリアと後方反射器などとの間の異なる経路などの別の位相効果を有することに触れておく。
【００８５】
完全さのために、当業者に知られており、必要とされる光学的条件が満たされる限り類推によって実装され得る、３つ以上のウェッジを有する複数ウェッジ構造の別の実施形態が指摘される。
【００８６】
別の実施形態では、光学素子が光学ユニット４内で使用され得、屈折率や複屈折などの光学素子の光学的特性が具体的に制御可能である。
【００８７】
図１１は、図１に示されるものと類似の構造を有するレーザシステム１’を示す。しかしながら、板１１の代わりに、電極８３を備える電気光学変調器（ＥＯＭ）８１が設けられる。電極８３に印加される電圧が、制御デバイス１３と共に制御され得る。電圧に応じて、特定の屈折率がＥＯＭ８１で設定される。特定の屈折率は、角分散領域８内の光路８Ａ、８Ｂ、８Ｃを決定する。電圧、したがって屈折率を変更する場合、光路も変化する。これが、ＥＯＭ８１内に光路８Ａ’、８Ｂ’、８Ｃ’によって例示的に示されている。ＥＯＭ８１の電圧設定は、例えば、機械的回転またはスライドイン設定と比較して、分散のより高速な調節を可能にし得る。さらに、固定空間一体化により、入射角に対して最適化された反射防止被覆を使用し得る。残りの構成要素、および光路の変化の効果に関して、上記の説明に対する参照が行われる。
【００８８】
アナログ構成では、２つの音響光学変調器の機構が、光路を調節するための光学素子として使用され得る。
【００８９】
完全さのために、図１２は分散調節ユニット５’を示し、分散調節ユニット５’は、例えばレーザシステム１または１’内の分散調節ユニット５の代わりに使用され得る。分散調節ユニット５’は、圧縮器として例示的に構成されるが、ストレッチャとしても構成され得る。分散調節ユニット５’は、本明細書で開示されるような分散調節のための光学素子を備える光学ユニット４’を有する。図１と同様に、例えば、分散調節ユニット５’は後方反射器９を含み、後方反射器９は、後方の進路からそこで進路の高さを変位する。偏向プリズム９’を介して第２の折返しが行われ、したがって必要な分散素子７はただ１つである。これは、第２の折返しが、（１つの）分散素子７上でレーザ放射と分散素子７との間の空間的に分離された相互作用領域を与え得るからである。この結果、コンパクトな光学機構が得られる。
【００９０】
レーザ光、具体的には超短パルスレーザの拡張スペクトル範囲内（通常は、応用例に応じて２００ｎｍから１０μｍの波長範囲内）のレーザ光を参照して例示的実施形態が説明された。しかしながら、使用は一般に、角分散変動の概念が実装され得ることを条件として、スペクトル幅を有する電磁放射に移転可能である。
【００９１】
本明細書で説明される分散調節ユニットの実施形態はまた、単一または複数のパスで、自由ビーム圧縮器、及び／又は、ストレッチャを備える発振器システムについて使用され得る。
【００９２】
本明細書で説明される実施形態からわかるように、光学素子は、例えば、その位置の少なくとも１つの分散素子、及び／又は、少なくとも１つの分散素子に対する向きとは無関係に調節され得る。
【００９３】
本明細書で説明される実施形態からわかるように、好ましくは、光学素子、具体的には１つまたは複数の平行平面（ガラス）板または光学ウェッジは、光学素子全体にわたって、具体的にはビーム通路の領域内で均質に形成された屈折率を有する材料からなる。屈折率の均質性は、例えば光学素子が回転するとき、光の偏向が材料の屈折率の変化によって影響を受けないようなものである。具体的には、光線が、例えばそれに対応して均質に与えられた屈折率を有する平行平面（ガラス）板を通過するとき、平行オフセットは、材料自体の屈折率の変化によって影響されず／妨げられない。
【００９４】
この説明および／または特許請求の範囲で開示されるすべての特徴は、元の開示の目的で、ならびに実施形態および／または特許請求の範囲内の特徴の構成とは無関係の特許請求される発明を制限する目的で、互いに対して別々に、無関係に開示されることが意図されることが明示的に述べられる。元の開示の目的で、ならびに具体的には値範囲の限定として、特許請求される発明を制限する目的で、すべての値範囲またはエンティティのグループの指示が、あらゆる可能な中間値または中間エンティティを開示することが明示的に述べられる。
【図１】
2019522361.tif 000004
【図２Ａ】
2019522361.tif 000005
【図２Ｂ】
2019522361.tif 000006
【図３Ａ】
2019522361.tif 000007
【図３Ｂ】
2019522361.tif 000008
【図３Ｃ】
2019522361.tif 000009
【図３Ｄ】
2019522361.tif 000010
【図４Ａ】
2019522361.tif 000011
【図４Ｂ】
2019522361.tif 000012
【図５Ａ】
2019522361.tif 000013
【図５Ｂ】
2019522361.tif 000014
【図５Ｃ】
2019522361.tif 000015
【図５Ｄ】
2019522361.tif 000016
【図６】
2019522361.tif 000017
【図７】
2019522361.tif 000018
【図８Ａ】
2019522361.tif 000019
【図８Ｂ】
2019522361.tif 000020
【図８Ｃ】
2019522361.tif 000021
【図９】
2019522361.tif 000022
【図１０】
2019522361.tif 000023
【図１１】
2019522361.tif 000024
【図１２】
2019522361.tif 000025
【国際調査報告】
2019522361.tif 000026
2019522361.tif 000027
2019522361.tif 000028
2019522361.tif 000029
2019522361.tif 000030
2019522361.tif 000031